(57)【要約】【課題】竪樋と埋設管の接合部に装着される竪樋保護カバーにおいて接合部の外方に閉じた空気層を設けることで断熱機能を付与し、接合部の凍結を防止した竪樋保護カバーを提供する。【解決手段】本願発明の竪樋保護カバーは、竪樋１の下端部と地中に埋設された埋設管２の接続口とを地上で接続した接続部の外周に装着される竪樋保護カバー３であって、竪樋保護カバーの天板３１に竪樋１を貫通接続する接続口部３２を形成し、天板１の外周縁から下方に垂下する筒体３３を形成し、該竪樋保護カバー３を竪樋１と埋設管２との接続部の外周部に装着したとき、竪樋保護カバーの内周面３４と竪樋１及び埋設管２の外周面１１、２２との間に内部空間４が形成されるようにしたことを特徴とするものである。【選択図】図３
2009150153.tif 000002
【特許請求の範囲】
【請求項１】
竪樋の下端部と地中に埋設された埋設管の接続口とを地上で接続した接続部の外周に装着される竪樋保護カバーであって、竪樋保護カバーの天板に竪樋を貫通接続する接続口部を形成し、天板の外周縁から下方に垂下する筒体を形成し、該竪樋保護カバーを竪樋と埋設管との接続部の外周部に装着したとき、竪樋保護カバーの内周面と竪樋及び埋設管の外周面との間に内部空間が形成されるようにしたことを特徴とする竪樋保護カバー。
【請求項２】
上記天板、接続口部および筒体を左右に２分割するとともに、該分割された両者をヒンジ結合部で結合した請求項１記載の竪樋保護カバー。
【請求項３】
上記筒体をその下端部に向かって拡開するようにスカート部とした請求項１記載の竪樋保護カバー。
【請求項４】
上記天板を筒体に着脱自在に被蓋した請求項１記載の竪樋保護カバー。
【発明の詳細な説明】
【技術分野】
【０００１】
本願発明は、竪樋の下端部の外側に被覆されて竪樋の下端と地中埋設管との結合部分を覆い隠すとともに接続部内部の凍結を防止する竪樋保護カバーに関するものである。
【背景技術】
【０００２】
通常家屋の屋根縁に取り付けられた軒樋に集められた雨水は、軒樋から垂直方向に沿って設けられた竪樋を通って地中に設けられた排水管等の埋設管に排水されている。竪樋保護カバーとはこの壁等に取り付けられた竪樋と、地中に埋設された埋設管との間の地表面の接続部の外周を保護する筒体であり、竪樋の下端部や埋設管を石跳ねや雪掻きなどの衝撃から保護するものである。
【０００３】
これら竪樋保護カバーは多くは筒状体を２分割し、分離した各分割体を用いて、竪樋の下端部分と埋設管との接続部の外側を覆うものである。しかしながら、これら各分割体は２本で１セットとされ、２組の嵌合凸部と嵌合凹部とを各々結合させる必要があり、施工時の作業性が悪いという問題がある。
【０００４】
又これら従来の竪樋保護カバーは接合部の上端が開口しているためにゴミ等が入り易くまた凍結することがあり、積雪地では竪樋内の雨水が円滑に流れないという問題があった。
【０００５】
実開平５−６１３３４号公報に示されている排水管カバーは筒状体が縦割り状に分割されて筒分割体が形成され、一方の筒分割体の側端縁に嵌合凸部、他方の筒分割体の側端縁に嵌合凹部が各々形成され、嵌合凸部と嵌合凹部とが相互に嵌合されて、両筒分割体が筒状に結合一体化され、竪樋の下端外側に取付けられる。
【特許文献１】実開平５−６１３３４号公報
【発明の開示】
【発明が解決しようとする課題】
【０００６】
しかしながら、上記従来例であるこれらの排水管カバーと称される竪樋保護カバーはいずれもその上端が開口しているものであり、竪樋保護カバーの内周面と竪樋および埋設管の外周面との間に略閉じた内部空間が形成されていないものである。
【０００７】
本願発明は、上記背景技術に鑑みてなしたものであり、その目的は、竪樋保護カバーの内周面と竪樋および埋設管の外周面との間に略閉じた内部空間を形成し、接続部内部の凍結を防止することで竪樋内の排水機能を維持すると共に、体裁のよい竪樋保護カバーを提供する。
【課題を解決するための手段】
【０００８】
上記課題を解決するために、本願請求項１記載の発明に係る竪樋保護カバーは、竪樋の下端部と地中に埋設された埋設管の接続口とを地上で接続した接続部の外周に装着される竪樋保護カバーであって、竪樋保護カバーの天板に竪樋を貫通接続する接続口部を形成し、天板の外周縁から下方に垂下する筒体を形成し、該竪樋保護カバーを竪樋と埋設管との接続部の外周部に装着したとき、竪樋保護カバーの内周面と竪樋及び埋設管の外周面との間に内部空間が形成されるようにしたことを特徴としている。
【０００９】
本願請求項２記載の発明は、上記天板、接続口部および筒体を左右に２分割するとともに、該分割された両者をヒンジ結合部で結合したことを特徴としている。
【００１０】
本願請求項３記載の発明は、上記筒体をその下端部に向かって拡開するようにスカート部としたことを特徴としている。
【００１１】
本願請求項４記載の発明は、上記天板を筒体に着脱自在に被蓋したことを特徴としている。
【発明の効果】
【００１２】
本願請求項１記載の発明に係る竪樋保護カバーは、上記のとおりであり、特に、竪樋保護カバーの内周面と竪樋および埋設管の外周面との間に略閉じた内部空間を形成されるようにしたものであるから、内部空間が断熱層の機能を発揮し当該接続部内部の凍結を防止し竪樋内の排水機能を維持できる。特に雪国等の寒冷地において、竪樋と埋設管との接続部は地面に近いものであり、雪中にたびたび埋没するが、本願発明は当該接続部の凍結を防止し、又凍結による当該接続部の膨張破壊を防ぐことができる。
【００１３】
雪国においては、除雪や積雪作業時のスコップ等の衝突や積雪荷重により外壁を傷めることが多いがその対策として布基礎の高さを高くしている。従って、当該接続部の位置も布基礎の高さに応じて布基礎の高さあたりに設置されることが多い。具体的には竪樋に比べて強度の比較的大きい埋設管を布基礎の高さあたりまで立ち上げた状態で、竪樋下端部と該埋設管とを接続していた。しかし、該埋設管は家屋外観を維持するにはその意匠性が良くないが、体裁の良い竪樋保護カバーを用いることにより、埋設管を隠すことで体裁を良好に維持できる。
【００１４】
上記の如く、当該接続部が地表より比較的高い位置にあるために、積雪圧や飛び石等の衝突があった場合でも、当該接続部の損傷を竪樋保護カバーで防ぐことができる。
【００１５】
本願請求項２記載の発明に係る竪樋保護カバーにおいては、特に上記天板、接続口部および筒体を左右に２分割するとともに該分割された両者をヒンジ結合により結合したものであり、当該接続部への竪樋保護カバーの装着、取替え修理のための竪樋保護カバーの離脱が容易に行える。そしてヒンジとしてプラスチックヒンジを採用すれば内部空間に通じる隙間が出来ないので好ましいものである。
【００１６】
本願請求項３記載の発明に係る竪樋保護カバーにおいては、特に上記筒体をその下端部に向かって拡開するようにスカート部としたものであり、内部空間を一層広く確保できる。しかも、筒体の下部が拡開してもほとんど邪魔にならないものである。
【００１７】
本願請求項４記載の発明に係る竪樋保護カバーにおいては、特に上記天板を筒体に着脱自在に被蓋したものであり、竪樋保護カバーの成形が容易になり、特に筒体を単に縦方向に２分割して製造した従来の竪樋保護カバーの内部空間に比較して本願の竪樋保護カバーは内部空間が略閉じているために機密性が高くなる。
【発明を実施するための最良の形態】
【００１８】
以下、本願発明の竪樋保護カバーについて図面を参照して詳細に説明する。図１は本願発明に係る第一の実施の形態の竪樋保護カバーの使用状態を示す説明図、図２は図１における竪樋と埋設管の接続における断面図である。図１において、１は竪樋、２は埋設管、３は竪樋保護カバー、Ｗは家屋壁面、Ｂは基礎である。竪樋１は家屋壁面Ｗに沿って垂直に設けられ、その下端は竪樋保護カバー３内において、埋設管２に連通している。
【００１９】
竪樋１は竪樋保護カバー３内にその下端が入り込み、竪樋保護カバー３内で埋設管２と接続されている。４は竪樋保護カバー３の内周面３４と竪樋１および埋設管２の外周面１１、２２との間に形成される内部空間である。
【００２０】
図２において竪樋保護カバー３の接続口部３２は竪樋１と密着されるように形成されているために、内部空間４として略閉じた空間が形成される。このために内部空間４が断熱層の機能を発揮し竪樋１と埋設管２との接続部内部の凍結が防止される。それとともに凍結による接続部の膨張破壊が防止される。
【００２１】
又、積雪地に於いては除雪作業時のスコップ等の衝突や積雪荷重による外壁への損傷を防ぐために布基礎Ｂの高さを高くしていることが多い。このために竪樋１に比べ強度の大きい埋設管２を布基礎Ｂの高さあたりまで立ち上げて、竪樋１の下端部を布基礎Ｂの高さあたりで埋設管２に接続している。しかし埋設管２はその意匠性が良くないために、体裁のよい竪樋保護カバー３を用いて家屋の外観の体裁を良好に維持している。
【００２２】
さらに竪樋１と埋設管２との接続部が地表より比較的高い位置にあるから竪樋保護カバー３を用いることで、積雪圧や小石の飛散による衝突や損傷を防ぐことができる。
【００２３】
図３は本願発明に係る第二の実施の形態の竪樋保護カバーの斜視図、図４は第二の実施の形態の竪樋保護カバーの使用状態における断面図である。この実施の形態では、竪樋保護カバー３を接続口部３２を有する天板３１と筒体３３とを着脱自在に分割し、天板３１を蓋体として機能させるとともに竪樋保護カバー３の製造成型を容易にしている。第一の実施の形態と同様に、竪樋１と埋設管２とは竪樋保護カバー３の内部で嵌合され、竪樋保護カバー３の筒体３３の内周面３４と竪樋１の外周面１１および埋設管２の外周面２２との間には内部空間４が形成され、天板３１が内部空間４の上面を被蓋され略閉じた内部空間４が形成されている。このために内部空間４の断熱機能が高くなり、竪樋１と埋設管２の接続部の凍結が防止される。
【００２４】
竪樋保護カバー３の接続口部３２の形状は、密着性を得るために丸竪樋、角竪樋等の竪樋１の形状に合わせるものである。
【００２５】
図５は本願発明に係る第三の実施の形態の竪樋保護カバーの斜視図、図６はその竪樋保護カバーの水平断面図ある。この実施の形態においては、竪樋保護カバー３を形成する天板３１、接続口部３２および筒体３３を左右に２分割し、分割された両者を竪樋保護カバーのヒンジ結合部５で結合したものである。５１はヒンジ結合部５と対向する位置に形成された嵌合部であり着脱自在に凹凸嵌合されている。３２１は埋設管接続口部を形成する孔であり埋設管２が内嵌合される。このようにすることで竪樋１と埋設管２とを接続した後においても、これらの外側から竪樋保護カバー３を取付け可能となり、また、竪樋保護カバー３の装着や取換えの修理のための竪樋保護カバーの離脱が容易となる。なおプラスチックヒンジを採用すれば、内部空間４に通じる隙間ができないから、竪樋保護カバー３の断熱機能が向上するので好ましいものである。
【００２６】
図７は本願発明に係る第四の実施の形態の竪樋保護カバーの一部切欠斜視図である。この実施の形態においては、竪樋保護カバー３の筒体３３をその下端部に向かって拡開するようにスカート部３３１としたものである。このようにすることで竪樋保護カバー３の内部空間４を一層広く確保でき空気層が厚く断熱機能が向上するとともに、しかも筒体３３の下部が拡開しても取付け等の作業性を阻害するものではない。
【００２７】
以上に説明したように本願発明の竪樋保護カバー３の最大の特徴は竪樋保護カバー３の内周面３４と竪樋１および埋設管２の外周面１１、２２の間に閉じた内部空間４を形成することで竪樋１と埋設管２との接続部の凍結を防止し、家屋の概観を良好に維持できることにある。
【図面の簡単な説明】
【００２８】
【図１】本願発明に係る第一の実施の形態の竪樋保護カバーの使用状態を示す説明図である。
【図２】上記図１の竪樋と埋設管の接続における断面図である。
【図３】本願発明に係る第二の実施の形態の竪樋保護カバーの斜視図である。
【図４】上記第二の実施の形態の竪樋保護カバーの使用状態における断面図である。
【図５】本願発明に係る第三の実施の形態の竪樋保護カバーの斜視図である。
【図６】図５に示す竪樋保護カバーの水平断面図である。
【図７】本願発明に係る第四の実施の形態の竪樋保護カバーの一部切欠斜視図である。
【符号の説明】
【００２９】
Ｗ      家屋壁面
Ｂ      布基礎
１      竪樋
１１    竪樋の外周面
２      埋設管
２１    埋設管の接続口
２２    埋設管の外周面
３      竪樋保護カバー
３１    竪樋保護カバーの天板
３２    竪樋保護カバーの接続口部
３２１  竪樋保護カバーの埋設管接続口部
３３    竪樋保護カバーの筒体
３３１  筒体のスカート部
３４    竪樋保護カバーの内周面
４      内部空間
５      竪樋保護カバーのヒンジ結合部
５１    竪樋保護カバーの嵌合部
【図１】
2009150153.tif 000003
【図２】
2009150153.tif 000004
【図３】
2009150153.tif 000005
【図４】
2009150153.tif 000006
【図５】
2009150153.tif 000007
【図６】
2009150153.tif 000008
【図７】
2009150153.tif 000009